(57)【特許請求の範囲】
【請求項１】
電線と接続すると共に嵌合方向に沿って相手側コネクタと嵌合するコネクタであって、
コンタクトと、前記コンタクトを保持するハウジングと、前記電線に取り付けられた状態で前記ハウジングに組み付けられる取付部材とを備えており、
前記コンタクトは、前記嵌合方向と斜交する斜交方向に延びる圧接部であって前記電線の芯線と接続する圧接部を有しており、
前記ハウジングには、ガイド部が設けられており、
前記取付部材には、前記ガイド部にガイドされる被ガイド部であって前記斜交方向に沿った前記取付部材の前記ハウジングに対する組み付け時における前記取付部材の移動を前記ガイド部と共にガイドする被ガイド部を有しており、
前記取付部材が前記電線に取り付けられた状態で前記被ガイド部が前記ガイド部にガイドされつつ前記取付部材が前記ハウジングに組み付けられると、前記芯線と前記圧接部とが接続し、
前記圧接部は、前記嵌合方向と直交する横方向とも斜交する面内に延びており、
複数の前記コンタクトを備えており、
前記嵌合方向と直交する横方向において隣り合う前記圧接部は互いに平行に配置されており、
複数の前記電線を保持する保持部材を更に備えており、
前記取付部材は、複数の前記電線に取り付けられる
コネクタ。
【請求項２】
請求項１記載のコネクタであって、
前記保持部材と前記ハウジングとの間には収容部が構成されており、
前記ガイド部による前記被ガイド部のガイドにより前記取付部材が前記ハウジングに組み付けられる際に前記取付部材が前記収容部に収容される
コネクタ。
【請求項３】
請求項２記載のコネクタであって、
前記保持部材は、前記ハウジングに突き当てられて前記嵌合方向における前記保持部材の前記ハウジングに対する位置を粗決めする突き当て部を有している
コネクタ。
【請求項４】
請求項２又は請求項３記載のコネクタであって、
前記取付部材は、前記保持部材に保持された前記電線に対して取り付けられた後、前記ガイド部による前記被ガイド部のガイドを可能とする位置まで移動され、更に、前記ガイドを経て前記収容部に収容されるものであり、
前記保持部材には、前記電線に対して取り付けられた前記取付部材が前記ガイドの可能な位置まで移動したか否かの目安となるマーカーが形成されている
コネクタ。
【請求項５】
請求項１乃至請求項４のいずれかに記載のコネクタであって、
前記コンタクトは、２つのグループにグループ化されており、
前記横方向において隣り合う前記コンタクトの前記圧接部は、前記嵌合方向及び前記横方向の双方と直交する上下方向において互いに異なる位置に位置しており、
前記横方向において隣り合う前記圧接部は、前記横方向において一つおきに設けられた前記コンタクトのものであり、
前記取付部材は２つあり、夫々、前記コンタクトの前記グループに対応している
コネクタ。
【請求項６】
請求項５記載のコネクタであって、
前記取付部材は、互いに同じ形状を有している
コネクタ。
【請求項７】
請求項１乃至請求項６のいずれかに記載のコネクタであって、
前記取付部材には、前記取付部材を貫通する取付孔と、前記取付孔と連通すると共に挿入された前記圧接部を保持する保持スリットとが形成されており、
前記電線を前記取付孔に挿通することにより前記取付部材は前記電線に取り付けられる
コネクタ。
【請求項８】
請求項７記載のコネクタであって、
前記取付孔は、前記嵌合方向と前記斜交方向とを含む面内において、前記斜交方向と直交する方向に延びている
コネクタ。
【請求項９】
請求項１乃至請求項８のいずれかに記載のコネクタであって、
前記被ガイド部は、前記取付部材に設けられた前記斜交方向に延びる突条であり、
前記ガイド部は、前記被ガイド部を前記斜交方向に沿って受けるように構成されている
コネクタ。
【請求項１０】
請求項９記載のコネクタであって、
前記ガイド部は、前記取付部材を前記ハウジングに対して組み付けた状態において前記被ガイド部よりも前記ハウジングの嵌合端側に位置する第１ガイド部及び第２ガイド部と前記被ガイド部の前記嵌合端側とは反対側に位置する第３ガイド部とを有しており、
前記第１ガイド部、前記第２ガイド部及び前記第３ガイド部は、前記嵌合方向と直交する上下方向において重ならないように配置されている
コネクタ。
【請求項１１】
請求項１０記載のコネクタであって、
前記取付部材の前記ハウジングに対する組み付け時に、前記第１ガイド部は、前記被ガイド部を最初にガイドするように設けられており、且つ、前記第１ガイド部による前記被ガイド部のガイドを視認できるように設けられている
コネクタ。
【請求項１２】
請求項１乃至請求項１１のいずれかに記載のコネクタであって、
前記ハウジングには、前記電線の端面を保護する保護部が設けられている
コネクタ。
【請求項１３】
電線と接続すると共に嵌合方向に沿って相手側コネクタと嵌合するコネクタであって、
コンタクトと、前記コンタクトを保持するハウジングと、前記電線に取り付けられた状態で前記ハウジングに組み付けられる取付部材とを備えており、
前記コンタクトは、前記嵌合方向と斜交する斜交方向に延びる圧接部であって前記電線の芯線と接続する圧接部を有しており、
前記ハウジングには、ガイド部が設けられており、
前記取付部材には、前記ガイド部にガイドされる被ガイド部であって前記斜交方向に沿った前記取付部材の前記ハウジングに対する組み付け時における前記取付部材の移動を前記ガイド部と共にガイドする被ガイド部を有しており、
前記取付部材が前記電線に取り付けられた状態で前記被ガイド部が前記ガイド部にガイドされつつ前記取付部材が前記ハウジングに組み付けられると、前記芯線と前記圧接部とが接続し、
前記被ガイド部は、前記取付部材に設けられた前記斜交方向に延びる突条であり、
前記ガイド部は、前記被ガイド部を前記斜交方向に沿って受けるように構成されており、
前記ガイド部は、前記取付部材を前記ハウジングに対して組み付けた状態において前記被ガイド部よりも前記ハウジングの嵌合端側に位置する第１ガイド部及び第２ガイド部と前記被ガイド部の前記嵌合端側とは反対側に位置する第３ガイド部とを有しており、
前記第１ガイド部、前記第２ガイド部及び前記第３ガイド部は、前記嵌合方向と直交する上下方向において重ならないように配置されている
コネクタ。
【発明の詳細な説明】
【技術分野】
【０００１】
本発明は、コンタクトの圧接部（圧接刃）で電線の被覆部をつき破りつつ圧接部と電線の芯線との接続を図るコネクタ（圧接コネクタ）に関する。
【背景技術】
【０００２】
この種のコネクタとしては、例えば、特許文献１乃至特許文献３に開示されたものがある。特許文献１のコネクタにおいてはコンタクトの圧接部（圧接刃）が嵌合方向と直交する方向に延び、特許文献２のコネクタはコンタクトの圧接部（圧接刃）が嵌合方向に延びているのに対して、特許文献３のコネクタにおいてはコンタクトの圧接部（圧接刃）は嵌合方向と斜交する方向に延びている。そのため、同一のコンタクトの配列とした場合、特許文献３のコネクタの方が特許文献１や特許文献２のコネクタと比較して高さ方向のサイズを抑えることができる。
【先行技術文献】
【特許文献】
【０００３】
【特許文献１】特開２００５−６３８０９号公報
【特許文献２】特開平８−７９９５号公報
【特許文献３】実開平６−８６２６２号公報
【発明の概要】
【発明が解決しようとする課題】
【０００４】
特許文献３のコネクタでは、電線に直接的に力を加えて圧接部との接続を図っているが、このような作業によると、電線における圧接部との接続位置にばらつきが生じやすい。即ち、電線ごとに信号の伝送路長が異なってしまう可能性がある。
【０００５】
そこで、本発明は、圧接部が嵌合方向と斜交する方向に延びる圧接部を有するコネクタであって電線における圧接部との接続位置のばらつきを抑制することのできるコネクタを提供することを目的とする。
【課題を解決するための手段】
【０００６】
本発明は、第１のコネクタとして、
電線と接続すると共に嵌合方向に沿って相手側コネクタと嵌合するコネクタであって、
コンタクトと、前記コンタクトを保持するハウジングと、前記電線に取り付けられた状態で前記ハウジングに組み付けられる取付部材とを備えており、
前記コンタクトは、前記嵌合方向と斜交する斜交方向に延びる圧接部であって前記電線の芯線と接続する圧接部を有しており、
前記ハウジングには、ガイド部が設けられており、
前記取付部材には、前記ガイド部にガイドされる被ガイド部であって前記斜交方向に沿った前記取付部材の前記ハウジングに対する組み付け時における前記取付部材の移動を前記ガイド部と共にガイドする被ガイド部を有しており、
前記取付部材が前記電線に取り付けられた状態で前記被ガイド部が前記ガイド部にガイドされつつ前記取付部材が前記ハウジングに組み付けられると、前記芯線と前記圧接部とが接続する
コネクタを提供する。
【０００７】
また、本発明は、第２のコネクタとして、第１のコネクタであって、
前記圧接部は、前記嵌合方向と直交する横方向とも斜交する面内に延びている
コネクタを提供する。
【０００８】
また、本発明は、第３のコネクタとして、第１又は第２のコネクタであって、
複数の前記コンタクトを備えており、
前記嵌合方向と直交する横方向において隣り合う前記圧接部は互いに平行に配置されている
コネクタを提供する。
【０００９】
また、本発明は、第４のコネクタとして、第３のコネクタであって、
複数の前記電線を保持する保持部材を更に備えており、
前記取付部材は、複数の前記電線に取り付けられる
コネクタを提供する。
【００１０】
また、本発明は、第５のコネクタとして、第４のコネクタであって、
前記保持部材と前記ハウジングとの間には収容部が構成されており、
前記ガイド部による前記被ガイド部のガイドにより前記取付部材が前記ハウジングに組み付けられる際に前記取付部材が前記収容部に収容される
コネクタを提供する。
【００１１】
また、本発明は、第６のコネクタとして、第５のコネクタであって、
前記保持部材は、前記ハウジングに突き当てられて前記嵌合方向における前記保持部材の前記ハウジングに対する位置を粗決めする突き当て部を有している
コネクタを提供する。
【００１２】
また、本発明は、第７のコネクタとして、第５又は第６のコネクタであって、
前記取付部材は、前記保持部材に保持された前記電線に対して取り付けられた後、前記ガイド部による前記被ガイド部のガイドを可能とする位置まで移動され、更に、前記ガイドを経て前記収容部に収容されるものであり、
前記保持部材には、前記電線に対して取り付けられた前記取付部材が前記ガイドの可能な位置まで移動したか否かの目安となるマーカーが形成されている
コネクタを提供する。
【００１３】
また、本発明は、第８のコネクタとして、第３乃至第７のいずれかのコネクタであって、
前記コンタクトは、２つのグループにグループ化されており、
前記横方向において隣り合う前記コンタクトの前記圧接部は、前記嵌合方向及び前記横方向の双方と直交する上下方向において互いに異なる位置に位置しており、
前記横方向において隣り合う前記圧接部は、前記横方向において一つおきに設けられた前記コンタクトのものであり、
前記取付部材は２つあり、夫々、前記コンタクトの前記グループに対応している
コネクタを提供する。
【００１４】
また、本発明は、第９のコネクタとして、第８のコネクタであって、
前記取付部材は、互いに同じ形状を有している
コネクタを提供する。
【００１５】
また、本発明は、第１０のコネクタとして、第１乃至第９のいずれかのコネクタであって、
前記取付部材には、前記取付部材を貫通する取付孔と、前記取付孔と連通すると共に挿入された前記圧接部を保持する保持スリットとが形成されており、
前記電線を前記取付孔に挿通することにより前記取付部材は前記電線に取り付けられる
コネクタを提供する。
【００１６】
また、本発明は、第１１のコネクタとして、第１０のコネクタであって、
前記取付孔は、前記嵌合方向と前記斜交方向とを含む面内において、前記斜交方向と直交する方向に延びている
コネクタを提供する。
【００１７】
また、本発明は、第１２のコネクタとして、第１乃至第１１のいずれかのコネクタであって、
前記被ガイド部は、前記取付部材に設けられた前記斜交方向に延びる突条であり、
前記ガイド部は、前記被ガイド部を前記斜交方向に沿って受けるように構成されている
コネクタを提供する。
【００１８】
また、本発明は、第１３のコネクタとして、第１２のコネクタであって、
前記ガイド部は、前記取付部材を前記ハウジングに対して組み付けた状態において前記被ガイド部よりも前記ハウジングの嵌合端側に位置する第１ガイド部及び第２ガイド部と前記被ガイド部の前記嵌合端側とは反対側に位置する第３ガイド部とを有しており、
前記第１ガイド部、前記第２ガイド部及び前記第３ガイド部は、前記嵌合方向と直交する上下方向において重ならないように配置されている
コネクタを提供する。
【００１９】
また、本発明は、第１４のコネクタとして、第１３のコネクタであって、
前記取付部材の前記ハウジングに対する組み付け時に、前記第１ガイド部は、前記被ガイド部を最初にガイドするように設けられており、且つ、前記第１ガイド部による前記被ガイド部のガイドを視認できるように設けられている
コネクタを提供する。
【００２０】
更に、本発明は、第１５のコネクタとして、第１乃至第１４のいずれかのコネクタであって、
前記ハウジングには、前記電線の端面を保護する保護部が設けられている
コネクタを提供する。
【発明の効果】
【００２１】
本発明によれば、圧接部を嵌合方向と斜交する方向に延びるように構成したことから、コネクタの高さ方向（上下方向）のサイズを抑えることができる。また、取付部材が電線に取り付けられた状態で被ガイド部がガイド部にガイドされつつ取付部材が斜交方向に沿ってハウジングに組み付けられると、電線の芯線と圧接部とが接続されるように構成されていることから、電線と圧接部との接続位置のばらつきを抑えることができると共に圧接部の破損などを避けることができる。
【図面の簡単な説明】
【００２２】
【図１】本発明の実施の形態によるコネクタを示す後方斜視図である。図には、圧接後の状態が示されている。
【図２】図１のコネクタを示す後方斜視図である。図には、圧接前の状態が示されている。
【図３】図１のコネクタの第１コンタクト及び第２コンタクト並びにハウジングからなる構造体を示す後方斜視図である。
【図４】図３の構造体を示す正面図である。
【図５】図３の構造体を示す背面図である。
【図６】図３の構造体を示す側面図である。
【図７】図３の構造体を示す上面図である。
【図８】図３の第１コンタクトを示す斜視図である。
【図９】図３の第２コンタクトを示す斜視図である。
【図１０】図１のコネクタの保持部材を示す前方斜視図である。
【図１１】図１のコネクタの取付部材を示す斜視図である。なお、図示された座標系は上側の取付部材に関するものであるが、下側の取付部材も方向が異なるだけで上側の取付部材と同じ形状を有している。
【図１２】ケーブルとコネクタとの接続工程を示す前方斜視図である。
【図１３】図１２の接続工程に続く工程を示す前方斜視図である。
【図１４】図１３の接続工程に続く工程を示す側面図である。
【図１５】図１４の接続工程に続く工程を示す後方斜視図である。
【図１６】図１５の工程におけるガイド部と被ガイド部との関係を示す断面図である。
【図１７】図１５の工程における第２コンタクトと取付部材との関係を示す断面図である。
【図１８】図１７の取付部材を変位させることにより第２コンタクトの第２圧接部が部分的に取付部材に挿入された状態を示す断面図である。
【図１９】図１８の取付部材を変位させ終え第２コンタクトの第２圧接部が電線の芯線に圧接された状態を示す断面図である。
【図２０】図１のコネクタの断面図である。図には、第１圧接部及び第２圧接部と電線との接続が示されている。
【発明を実施するための形態】
【００２３】
図１及び図２に示されるように、本発明の実施の形態によるコネクタ１０は、ケーブル２００に取り付けられ、Ｘ方向（嵌合方向）に沿って相手側コネクタ（図示せず）に接続されるものである。本実施の形態によるケーブル２００は、いわゆるＳＴＰ（Shielded twisted pair）ケーブルであり、図１２、図１３及び図２０から理解されるように、ツイストされた電線２１０を４ペアと、それらをシールドする遮蔽部材２２０と、遮蔽部材２２０の外側に設けられたシース（外皮）２３０とを備えている。但し、本発明のコネクタの取付対象はＳＴＰケーブルには限られず、ＵＴＰ（Unshield Twisted Pair）ケーブルその他のケーブルであってもよい。
【００２４】
図１乃至図３から理解されるように、本実施の形態によるコネクタ１０は、導電体からなる第１コンタクト（コンタクト）１１０及び第２コンタクト（コンタクト）１２０と、絶縁体からなるハウジング１３０と、絶縁体からなる保持部材１６０と、絶縁体からなる２つの取付部材１８０とを備えている。
【００２５】
図８に示されるように、第１コンタクト１１０は、第１主部１１２と、第１圧接部（圧接部）１１４とを有している。第１主部１１２は、ＸＺ平面内においてＸ方向（嵌合方向）に沿って延びており、その先端には第１接点部１１６が設けられている。第１圧接部１１４は、Ｘ方向と斜交する斜交方向（後斜め上方向：−Ｘ方向且つ＋Ｚ方向）に延びている。詳しくは、第１圧接部１１４は、股部１１８が形成された二股且つ平板状の形状を有しており、Ｙ方向（横方向）ともＺ方向（上下方向）とも斜交する面内に延びている。
【００２６】
図９に示されるように、第２コンタクト１２０は、第２主部１２２と、第２圧接部（圧接部）１２４とを有している。第２主部１２２は、ＸＺ平面内においてＸ方向（嵌合方向）に沿って延びており、その先端には第２接点部１２６が設けられている。第２圧接部１２４は、Ｘ方向と斜交する斜交方向（後斜め下方向：−Ｘ方向且つ−Ｚ方向）に延びている。詳しくは、第２圧接部１２４は、股部１２８が形成された二股且つ平板状の形状を有しており、Ｙ方向（横方向）ともＺ方向（上下方向）とも斜交する面内に延びている。
【００２７】
図８及び図９と図３及び図５から理解されるように、本実施の形態による第１圧接部１１４の端部及び第２圧接部１２４の端部は、いずれも先細るように形成されている。なお、図から明らかなように本実施の形態による第１コンタクト１１０及び第２コンタクト１２０はプレス形成されたものであるが、曲げ形成等他の方法によって形成されたものであってもよい。
【００２８】
図３乃至図７から理解されるように、ハウジング１３０は、第１コンタクト１１０の第１主部１１２と第２コンタクト１２０の第２主部１２２とを保持するコンタクト保持部１３２と、コンタクト保持部１３２の−Ｘ方向端部（後端）のＹ方向（横方向）の両端から−Ｘ方向（後方）に延びる側壁部１３４とを有している。
【００２９】
図３乃至図５から理解されるように、コンタクト保持部１３２は、第１コンタクト１１０の第１主部１１２と第２コンタクト１２０の第２主部１２２とを交互に且つＹ方向に列設保持している。特に、本実施の形態においては、第１コンタクト１１０の第１主部１１２と第２コンタクト１２０の第２主部１２２とはＹ方向に一列に並べられている。一方、図３及び図５に示されるように、第１圧接部１１４と第２圧接部１２４とはＺ方向において別々の位置に配置されている。具体的には、図５に示されるように、＋Ｚ側（上側）には第１圧接部１１４のみが位置しており、−Ｚ側（下側）には第２圧接部１２４のみが位置している。即ち、第１圧接部１１４はＹ方向に一列に並べられており、第２圧接部１２４はＺ方向において第１圧接部１１４から離れた位置においてＹ方向に一列に並べられている。また、Ｙ方向において隣接する第１圧接部１１４は、Ｙ方向において間に第２コンタクト１２０を一つ挟んで設けられた最も近い第１コンタクト１１０に属するものであり、Ｙ方向において隣接する第２圧接部１２４は、Ｙ方向において間に第１コンタクト１１０を一つ挟んで設けられた最も近い第２コンタクト１２０に属するものである。
【００３０】
図３及び図５から理解されるように、第１圧接部１１４は互いに平行となるように配置されており、同様に、第２圧接部１２４は互いに平行となるように配置されている。本実施の形態においては、第１圧接部１１４も第２圧接部１２４もＸ方向と斜交する方向に延びていることからハウジング１３０のＺ方向のサイズ（高さ）を抑えることができ、またそれら第１圧接部１１４及び第２圧接部１２４に圧接される電線２１０の曲げも少なくすることができる。更に、本実施の形態による第１圧接部１１４及び第２圧接部１２４は、いずれもＹ方向と斜交する面内に延びていることから、ハウジング１３０のＹ方向におけるサイズ（幅）も抑えられている。換言すると、本実施の形態によれば、Ｚ方向及びＹ方向においてサイズの低減を図ることができる。特に、本実施の形態においては、図５に示されるように、４つの第１圧接部１１４と４つの第２圧接部１２４とは、ハウジング１３０のＹ方向（横方向）及びＺ方向（上下方向）の中点を中心として点対称となるように配列されている。
【００３１】
図３乃至図５から理解されるように、Ｙ方向において隣り合う第１コンタクト１１０と第２コンタクト１２０とは、ペアを構成している。本実施の形態において、第１コンタクト１１０と第２コンタクト１２０のペアは合計４つある。図５に示されるように、各ペアを構成する第１コンタクト１１０と第２コンタクト１２０の第１圧接部１１４及び第２圧接部１２４はＺ方向に並んでいる（即ち、上下に配置されている）。これら第１コンタクト１１０と第２コンタクト１２０のペアは、ケーブル２００に含まれる電線２１０のツイストされているペアに対応している。即ち、図５及び図２０から理解されるように、各ペアに属する電線２１０は、上下に配置された第１圧接部１１４及び第２圧接部１２４に圧接されることになる（圧接については後で詳述）ことから、第１圧接部１１４及び第２圧接部１２４がＸ方向と直交している場合（例えば、特許文献１の場合）と比較して、ペアとなる電線２１０間の距離を短くすることができる。従って、ペアとなる電線２１０間の結合強度を高めることができ、隣接するペア間におけるクロストークの抑制を図ることができる。また、第１圧接部１１４及び第２圧接部１２４がＸ方向に延びている場合（例えば、特許文献２の場合）には、特許文献１と同様なことが言え、更に電線間の距離を短くしようとすると、電線を９０°曲げするため電線の直角曲げ部が延び、圧接箇所がズレて接触が不安定になる恐れが生じる。
【００３２】
各側壁部１３４の後端（−Ｘ側端部）には、２つの斜面（後斜面）１３６がＶ字をなすように形成されており、その前端（＋Ｘ側端部）には被突き当て部１３８が設けられている。
【００３３】
各側壁部１３４のＹ方向内面上にはガイド部が形成されている。本実施の形態によるガイド部は、第１ガイド部１４２、第２ガイド部１４４及び第３ガイド部１４６からなる。図３及び図１６から理解されるように、第１ガイド部１４２及び第２ガイド部１４４と第３ガイド部１４６との間には、Ｘ方向と斜交する方向に延びるガイド（溝）が形成されている。換言すると、第１ガイド部１４２及び第２ガイド部１４４はガイドの前端（嵌合側の端部）を規定しており、第３ガイド部１４６はガイドの後端（嵌合側とは反対側の端部）を規定している。
【００３４】
図３及び図１６から理解されるように、第１ガイド部１４２、第２ガイド部１４４及び第３ガイド部１４６は、Ｚ方向において互いに重ならないように配置されている。従って、比較的シンプルな型でガイド部を構成することができる。また、図４及び図１６から理解されるように、型抜きの際にできる孔１５２を小さくすることができ、ハウジング１３０の強度を確保することができる。
【００３５】
詳しくは、第１ガイド部１４２がＺ方向において最も外側に位置しており、第２ガイド部１４４がＺ方向において最も内側に位置している。更に、第３ガイド部１４６は、Ｚ方向において第１ガイド部１４２と第２ガイド部１４４との間に位置している。第３ガイド部１４６のＺ方向外側には、誘い部１４８が形成されている。具体的には、図６に最も良く示されているように、誘い部１４８は、後斜面１３６の端部から第１ガイド部１４２までＸ方向に沿って延びており、第１ガイド部１４２は、誘い部１４８よりもＺ方向外側に位置している。そのため、図５に示されるように、ハウジング１３０を−Ｘ側（後側）から見た場合に、第１ガイド部１４２を視認することができる。
【００３６】
図３及び図５に示されるように、ハウジング１３０の側壁部１３４のＺ方向の端部は、Ｙ方向において連結されており、その後端（−Ｘ側端部）には保護部１５０が形成されている。本実施の形態による保護部１５０は、第１ガイド部１４２、第２ガイド部１４４及び第３ガイド部１４６で構成されるガイドの延びる方向（斜交方向）と平行な面を有している。即ち、例えば、第１ガイド部１４２と保護部１５０とは平行な面を有している。
【００３７】
図１０に示されるように、保持部材１６０は、直方体形状の電線保持ブロック１６２と、電線保持ブロック１６２のＹ方向両端から＋Ｘ方向（前方）に延びる側壁部１７０とを有している。
【００３８】
電線保持ブロック１６２には、保持孔１６４が形成されている。各保持孔１６４は、電線保持ブロック１６２をＸ方向において貫通している。即ち、各保持孔１６４は、Ｘ方向に延びている。本実施の形態による保持孔１６４は、＋Ｚ側（上側）に４つ、−Ｚ側（下側）に４つ、計８つ設けられており、上下に位置する保持孔１６４のペアは連通し、一体化されている。但し、本発明はこれに限定されるわけではなく、保持孔１６４がすべて互いに独立していることとしてもよい。
【００３９】
本実施の形態において上下に位置する保持孔１６４（即ち、ペアとなる保持孔１６４）には、ケーブル２００に含まれるツイストされていた電線２１０のペアが挿通される。
【００４０】
図１０及び図２０から理解されるように、保持孔１６４の＋Ｘ側端部（前端）には、径の小さい軽圧入部１６６が形成されている。従って、保持孔１６４に電線２１０を挿通する（軽圧入される）と、電線２１０は軽圧入部１６６において保持される。このように、本実施の形態による保持部材１６０に対する電線２１０の保持は軽圧入により行われることから、保持部材１６０による保持の際に電線２１０が変形してしまう事態を避けることができると共に保持点のバラツキが生じることを避けることができる。
【００４１】
図１０に示されるように、各側壁部１７０の前端側（＋Ｘ側端側）には、２つの斜面（前斜面）１７２がＶ字をなすように形成されており、その前端（＋Ｘ側端部）には前方（＋Ｘ方向）に突出した突き当て部１７４が設けられている。本実施の形態による前斜面１７２の角度は、ハウジング１３０の後斜面１３６の角度と同じである。即ち、前斜面１７２と後斜面１３６とは平行に延びている。
【００４２】
突き当て部１７４は、被突き当て部１３８に突き当てられる部位である。突き当て部１７４が被突き当て部１３８に突き当てられると、前斜面１７２と後斜面１３６とは、突き当て部１７４の突出量に応じた距離だけＸ方向において離れて位置することとなる。これにより、ハウジング１３０と保持部材１６０との間には、取付部材１８０が収容される収容部１２が形成される（図１及び図１７参照）。また、突き当て部１７４が被突き当て部１３８に突き当てられると、保持部材１６０のハウジング１３０に対する相対位置（即ち、ケーブル２００のシース２３０とハウジング１３０との相対位置）の粗決めを行うことができる。
【００４３】
なお、各前斜面１７２のＺ方向中ほどには、＋Ｘ方向（前方）に突出したマーカー１７６が形成されている。
【００４４】
上述したように、４つの第１圧接部１１４と４つの第２圧接部１２４とが点対称となるように配列されていることから、図１４に最も良く示されるように、本実施の形態による取付部材１８０は、互いに同一形状を有している。従って、上下で異なる取付部材が必要となってしまう構成と比較して、コストの低減を図ることができる。
【００４５】
図１１に示されるように、各取付部材１８０は、ハウジング１３０への組み付けの際に内側に位置することとなる内面１８２と外側に位置することとなる外面１８４とを有している。また、各取付部材１８０には、内面１８２から外面１８４まで貫通する保持スリット１９０と、保持スリット１９０と交差且つ連通する取付孔１８６とが形成されている。本実施の形態における取付孔１８６は、内面１８２及び外面１８４と平行な方向に延びており、保持スリット１９０は、内面１８２及び外面１８４と直交する方向に延びている。詳しくは、取付孔１８６はＸＺ平面内に延びているのに対して、保持スリット１９０はＸ方向、Ｙ方向及びＺ方向のいずれとも斜交する方向に延びていることから、保持スリット１９０自体が取付孔１８６とは直交していないが、図１７において確認できるように、Ｙ方向に沿って見た場合の保持スリット１９０の延びる方向（即ち、斜交方向）と取付孔１８６の延びる方向とは互いに直交している。換言すると、取付孔１８６は、Ｘ方向と斜交方向とを含む面内（本実施の形態においてはＸＺ面内）において、斜交方向と直交する方向に延びている。
【００４６】
本実施の形態による取付孔１８６は４つあり、互いにＹ方向において連通している。但し、本発明はこれに限定されるわけではなく、取付孔１８６は互いに独立していてもよい。各取付孔１８６の前端近傍には径の小さい軽圧入部１８８が設けられている。取付孔１８６に電線２１０が挿通（軽圧入）されると、軽圧入部１８８により電線２１０が保持される。即ち、取付部材１８０が電線２１０に取り付けられる。即ち、取付部材１８０の電線２１０への取り付けは、取付孔１８６に対して電線２１０を軽圧入するだけで行われるので、電線２１０の破損等を防止することができる。なお、本実施の形態における軽圧入部１８８は保持スリット１９０よりも前側（＋Ｘ側）に位置している。
【００４７】
取付部材１８０のＹ方向の両端には、Ｙ方向外側に突出し且つ斜交方向（上側の取付部材１８０においては後斜め上方向（−Ｘ方向且つ＋Ｚ方向）、下側の取付部材１８０においては後斜め下方向（−Ｘ方向且つ−Ｚ方向））に延びる突条からなる被ガイド部１９２が設けられている。取付部材１８０の被ガイド部１９２を除いた部分（主部）のＹ方向におけるサイズは、ハウジング１３０の２つの側壁部１３４間の距離と実質的に等しい。換言すると、取付部材１８０は、ハウジング１３０の２つの側壁部１３４間の距離に等しいＹ方向サイズを有する主部１８１を有しており、その主部１８１から更にＹ方向外側に被ガイド部１９２が突出している。
【００４８】
更に、本実施の形態による各被ガイド部１９２は、内面１８２よりも突出している。この被ガイド部１９２は、ハウジング１３０の第１ガイド部１４２〜第３ガイド部１４６からなるガイド部にガイドされる部位である。なお、図２、図１５及び図１６から理解されるように、第１ガイド部１４２〜第３ガイド部１４６のうち、被ガイド部１９２を最初にガイドすることになるのは第１ガイド部１４２である。詳しくは、被ガイド部１９２は、まず第１ガイド部１４２にガイドされ、次いで第３ガイド部１４６にもガイドされ、更に続いて第２ガイド部１４４にもガイドされ、これによって取付部材１８０の斜交方向へのスライドが行われる。
【００４９】
ガイド部（第１ガイド部１４２〜第３ガイド部１４６）が被ガイド部１９２をガイドすると、第１圧接部１１４又は第２圧接部１２４が保持スリット１９０に受容されつつ、取付部材１８０が収容部１２に収容されるようにしてハウジング１３０に組み付けられる（図１及び図２参照）。このことから理解されるように、ガイド部（第１ガイド部１４２〜第３ガイド部１４６）により被ガイド部１９２のガイドがなされると、第１圧接部１１４又は第２圧接部１２４と保持スリット１９０との位置合わせもなされる。換言すると、被ガイド部１９２とガイド部（第１ガイド部１４２〜第３ガイド部１４６）とは、取付部材１８０の斜交方向へのスライドのみではなく、第１圧接部１１４又は第２圧接部１２４と保持スリット１９０との位置合わせをも考慮してサイズ・位置等を定められ、設けられている。従って、取付部材１８０のスライド時には第１圧接部１１４又は第２圧接部１２４の保持スリット１９０への受容を視認することができなくても、第１圧接部１１４又は第２圧接部１２４を保持スリット１９０へ受容し損ねて第１圧接部１１４又は第２圧接部１２４を変形させてしまうといった事態を避けることができる。
【００５０】
更に、前述したように、本実施の形態による第１圧接部１１４と第２圧接部１２４の先端は先細っていることから、保持スリット１９０内に受容され易くなっている。第１圧接部１１４又は第２圧接部１２４の保持スリット１９０への受容をより容易にするために、保持スリット１９０の内面１８２側に誘い（テーパ面）を形成することとしてもよい。
【００５１】
なお、取付部材１８０がハウジング１３０に組み付けられた状態において、第１ガイド部１４２及び第２ガイド部１４４は、被ガイド部１９２よりもハウジング１３０の嵌合端側（本実施の形態においてはコンタクト保持部１３２により近い位置）に位置しており、第３ガイド部１４６は、被ガイド部１９２の嵌合端側とは反対側（本実施の形態においてはコンタクト保持部１３２からより遠い位置）に位置している。
【００５２】
図１７から予測されるように、本実施の形態における被ガイド部１９２と保持スリット１９０とは、Ｙ方向に沿って取付部材１８０を透過して見た場合に、重なっている。換言すると、被ガイド部１９２は、保持スリット１９０の側方に設けられている。
【００５３】
更に、図２及び図１１に示されるように、本実施の形態における取付部材１８０の後端（−Ｘ方向端部）には、補助被ガイド部１９４が設けられている。補助被ガイド部１９４は、被ガイド部１９２と同様に斜交方向に延びるものであり、斜交方向と直交する方向においてＬ字状の断面を有するものである。補助被ガイド部１９４の一部は、突き当て部１７４を被突き当て部１３８に突き当てた際に前斜面１７２と後斜面１３６の間にできるスペースにガイドされると共に、補助被ガイド部１９４の他の一部は保持部材１６０の側壁部１７０の内面上を摺動する。換言すると、補助被ガイド部１９４は、保持部材１６０の側壁部１７０の前方内側の角部上に亘るようにして、移動する。これにより、ガイド部（第１ガイド部１４２〜第３ガイド部１４６）による被ガイド部１９２のガイドが保持される。
【００５４】
かかる構造を有するコネクタ１０に対するケーブル２００の接続について以下に説明する。
【００５５】
まず、ケーブル２００のシース２３０を剥いて遮蔽部材２２０をシース２３０上に折返し、４ペアの電線２１０のツイストを戻し、各ペアの電線２１０が上下に位置するように保持部材１６０の保持孔１６４に軽圧入し、更に、上側の４本の電線２１０を上側の取付部材１８０の取付孔１８６に軽圧入する一方で下側の４本の電線２１０を下側の取付部材１８０の取付孔１８６に軽圧入する。この際、取付部材１８０は、図１２に示されるように、最終的な取付部材１８０の位置、即ち、前斜面１７２上において最も突き当て部１７４に近い位置に位置させておく。より具体的には、取付部材１８０を前斜面１７２上において最も突き当て部１７４に近い位置に位置させた状態で、取付部材１８０を前斜面１７２上に押しつけつつ対応する４本の電線２１０を取付孔１８６に軽圧入する。取付部材１８０を前斜面１７２上の所定位置に押しつけることにより、取付部材１８０による電線２１０の保持位置に関し作業バラツキが生じることがない。即ち、電線２１０ごとに信号の伝送路長が異なってしまうといった問題の発生を防止することができる。また、取付部材１８０を押しつける前斜面１７２上の位置を最終的な取付部材１８０の位置（前斜面１７２上において最も突き当て部１７４に近い位置）とすることにより、実際に取付部材１８０をハウジング１３０に組み付けた際に、電線２１０の長さが足りなくなって芯線２１２と第１圧接部１１４又は第２圧接部１２４を接続できないという事態を避けることもできる。
【００５６】
図１２に示されるように取付部材１８０を電線２１０の被覆部２１４上に取り付けた後、電線２１０を切断して、図１３に示される状態にする。
【００５７】
次いで、図１４に示されるように、取付部材１８０を前斜面１７２に沿ってＺ方向外側且つ−Ｘ方向に移動させる。この際、マーカー１７６を超えるように移動させる。これにより、突き当て部１７４を被突き当て部１３８に突き当てる際に、取付部材１８０が突き当ての邪魔になることがなく、スムーズにガイド部（第１ガイド部１４２〜第３ガイド部１４６）による被ガイド部１９２のガイドに移ることができる。即ち、マーカー１７６は、電線２１０に対して取り付けられた取付部材１８０がガイド部（第１ガイド部１４２〜第３ガイド部１４６）による被ガイド部１９２のガイドの可能な位置まで移動したか否かの目安となるものである。
【００５８】
次いで、図２に示されるように、突き当て部１７４を被突き当て部１３８に突き当てる。本実施の形態においては、第１ガイド部１４２がＺ方向において突出していることから、被ガイド部１９２が第１ガイド部１４２に当たっているか否か（ガイドされ得る状態にあるか否か）を視認することができる。
【００５９】
次いで、取付部材１８０を斜め下（上）前方に押すことにより、取付部材１８０をハウジング１３０に組み付ける。実際の組み付けは、ハウジング１３０の前端（コンタクト保持部１３２の前端）を動かないように押さえつつ、取付部材１８０の外面１８４を冶具で押圧することにより行われる。
【００６０】
ここで、取付部材１８０をハウジング１３０に取り付けた状態においては、図１９及び図２０に示されるように、電線２１０の端面２１６はハウジング１３０の保護部１５０により保護されている。保護部１５０の構成により、ごみ等に起因した隣接する電線間の短絡が防止できる。
【００６１】
本実施の形態においては、取付部材１８０のハウジング１３０への取付の際、図１５及び図１６から理解されるように、被ガイド部１９２がガイド部（第１ガイド部１４２〜第３ガイド部１４６）によりガイドされるため、図１７乃至図１９に示されるように、第２圧接部１２４（第１圧接部１１４も同様）がスムーズに保持スリット１９０内に受容され、そこにおいて芯線２１２に圧接される。従って、第１圧接部１１４や第２圧接部１２４を変形させることなく第１圧接部１１４や第２圧接部１２４と芯線２１２との接続を図ることができると共に、電線２１０の第１圧接部１１４や第２圧接部１２４との接続位置もほぼ一定となることから、作業による伝送路長のバラツキ等の問題が生じない。
【００６２】
以上、本発明について実施の形態を掲げ具体的に説明してきたが、本発明はこれに限定されない。例えば、上述した実施の形態において、第１コンタクト１１０の第１主部１１２及び第２コンタクト１２０の第２主部１２２（即ち、第１接点部１１６及び第２接点部１２６）は図４に示すようにＹ方向に一列に並べられているが、二列（図５の圧接部の配列参照）に並べられていてもよいし、更に、Ｘ方向に沿って見た場合に千鳥状（ジグザグ）に配置されていてもよい。
【符号の説明】
【００６３】
１０        コネクタ
１２        収容部
１１０        第１コンタクト（コンタクト）
１１２        第１主部
１１４        第１圧接部（圧接部）
１１６        第１接点部
１１８        股部
１２０        第２コンタクト（コンタクト）
１２２        第２主部
１２４        第２圧接部（圧接部）
１２６        第２接点部
１２８        股部
１３０        ハウジング
１３２        コンタクト保持部
１３４        側壁部
１３６        後斜面（斜面）
１３８        被突き当て部
１４２        第１ガイド部（ガイド部）
１４４        第２ガイド部（ガイド部）
１４６        第３ガイド部（ガイド部）
１４８        誘い部
１５０        保護部
１５２        孔
１６０        保持部材
１６２        電線保持ブロック
１６４        保持孔
１６６        軽圧入部
１７０        側壁部
１７２        前斜面（斜面）
１７４        突き当て部
１７６        マーカー
１８０        取付部材
１８１        主部
１８２        内面
１８４        外面
１８６        取付孔
１８８        軽圧入部
１９０        保持スリット
１９２        被ガイド部
１９４        補助被ガイド部
２００        ケーブル
２１０        電線
２１２        芯線
２１４        被覆部
２１６        端面
２２０        遮蔽部材
２３０        シース
【図１】
0005274635.tif 000002
【図２】
0005274635.tif 000003
【図３】
0005274635.tif 000004
【図４】
0005274635.tif 000005
【図５】
0005274635.tif 000006
【図６】
0005274635.tif 000007
【図７】
0005274635.tif 000008
【図８】
0005274635.tif 000009
【図９】
0005274635.tif 000010
【図１０】
0005274635.tif 000011
【図１１】
0005274635.tif 000012
【図１２】
0005274635.tif 000013
【図１３】
0005274635.tif 000014
【図１４】
0005274635.tif 000015
【図１５】
0005274635.tif 000016
【図１６】
0005274635.tif 000017
【図１７】
0005274635.tif 000018
【図１８】
0005274635.tif 000019
【図１９】
0005274635.tif 000020
【図２０】
0005274635.tif 000021